(57)【要約】【課題】１枚の平面状の紙を折り曲げるだけで簡単に製造でき、展開された状態で保管及び輸送が可能であり、しかも内容物に含まれる液体が外部に漏れ出しにくい紙製組立箱を提供する。【解決手段】紙製組立箱１０は、１枚の平面状の紙に予め形成された折り目線に沿って折り曲げることにより組み立てられ、矩形の底板部１１と、底板部１１にそれぞれ底部折り目線１２〜１５を介して連結された側壁板部１６〜１９と、隣り合う側壁板部１６〜１９を連接する内側折込板部３８、３９、４３、４４、４８、４９、５３、５４とを有し、更に、側壁板部１６、１７に第１の外曲げ線２０〜２３で連接される内側折込板部３８、４３、４８、５３には、その上部に、差込片部４１、４６、５１、５６が上部折り曲げ線４２、４７、５２、５７を介して設けられていることを特徴とする。【選択図】図１
0003125882.tif 000002
【実用新案登録請求の範囲】
【請求項１】
１枚の平面状の紙に予め形成された折り目線に沿って折り曲げることにより組み立てられる紙製組立箱であって、
４辺が直線又は円弧状に形成された矩形の底板部と、
前記底板部の４辺にそれぞれ底部折り目線を介して連結された側壁板部と、
隣り合う前記側壁板部を連接し、前記底板部の角に起端を発する１又は複数の直線状の折り目線で分割された偶数枚の内側折込板部とを有し、
更に、前記側壁板部に第１の外曲げ線で連接される前記内側折込板部の１には、その上部に、隣接する前記側壁板部と、折り重ねた前記内側折込板部との間に嵌め込む差込片部が上部折り曲げ線を介して設けられていることを特徴とする紙製組立箱。
【請求項２】
請求項１記載の紙製組立箱において、折り重ねられる複数の前記内側折込板部は合同な三角形であることを特徴とする紙製組立箱。
【請求項３】
請求項１及び２のいずれか１項に記載の紙製組立箱において、前記底板部の少なくとも１の対向する底部折り目線は、内側に屈曲する円弧状となって、該底部折り目線が下部に形成された前記側壁板部の下部には、前記底板部の角に起端を発する外側に屈曲する円弧状の第２の外曲げ線が形成されていることを特徴とする紙製組立箱。
【請求項４】
請求項１〜３のいずれか１項に記載の紙製組立箱において、それぞれの前記側壁板部のうち１の対向する前記側壁板部の両内側に、該側壁板部の両底側端部に起端を発する第３の外曲げ線がそれぞれ形成され、上部に向かって該側壁板部の内側寸法が徐々に拡大していることを特徴とする紙製組立箱。
【請求項５】
請求項１〜３のいずれか１項に記載の紙製組立箱において、隣り合う前記側壁板部を連接する前記内側折込板部は４枚であって、上部に向かって該側壁板部の内側寸法が徐々に縮小していることを特徴とする紙製組立箱。
【請求項６】
１枚の平面状の紙に予め形成された折り目線に沿って折り曲げることにより組み立てられる紙製組立箱であって、
４辺が直線又は円弧状に形成された矩形の底板部と、
前記底板部の４辺にそれぞれ底部折り目線を介して連結された側壁板部と、
隣り合う前記側壁板部を外曲げ線を介して連接し、前記底板部の角に起端を発する直線状の内曲げ線で分割された２枚の内側折込板部とを有し、
対向する前記側壁板部の両側に連接された前記内側折込板部を前記側壁板部の内側に曲げ込んで、曲げ込んだ前記内側折込板部と、前記側壁板部との間に嵌め込む差込片部が、最内側に位置する前記内側折込板部の上部に上部折り曲げ線を介して設けられていることを特徴とする紙製組立箱。
【請求項７】
請求項６記載の紙製組立箱において、隣り合う前記側壁板部を連結する２枚の前記内側折込板部は、展開状態で前記側壁板部の高さを一辺とする正方形であって、前記内曲げ線は前記底板部の角を起端とする対角線であることを特徴とする紙製組立箱。
【請求項８】
請求項７記載の紙製組立箱において、前記側壁板部は正方形であることを特徴とする紙製組立箱。
【請求項９】
請求項１〜８のいずれか１項に記載の紙製組立箱において、前記底板部には抜き孔が形成されていることを特徴とする紙製組立箱。
【考案の詳細な説明】
【技術分野】
【０００１】
本考案は、紙製組立箱に係り、更に詳細には、製造及び輸送コストを安くすることができ、組立が簡単で、しかも内容物からの液漏れを起こしにくい紙製組立箱に関する。
【背景技術】
【０００２】
１枚の平面状の紙に予め形成された折り目線に沿って折り曲げることにより組み立てられる紙製組立箱が従来から知られており、菓子等を入れる容器として用いられている（例えば特許文献１参照）。
また、花屋の店頭に鉢植えの植物を展示する際、種苗用ポット（鉢）の底部から排出される水が溢れ出さないように従来ビニール等で周りを覆っていたが、美観を向上させるために、耐水性を有する紙で作られた紙製組立箱が種苗用ポットカバーとして用いられている。
【０００３】
【特許文献１】特許第３６０８６４７号公報
【考案の開示】
【考案が解決しようとする課題】
【０００４】
しかしながら、前記従来の紙製組立箱は、側板状部の間に折り目線を介して連結された接着板状部を側板状部の外側面に接着することにより形成されている。そのため、使用される紙が耐水性を有していても、例えば接着板状部の合わせ目等を介して側板状部の外部への水の流路が不可避的に形成され、そこから水が漏れるおそれがあるため、種苗用ポットカバーとして使用する上で問題があった。
また、一度組み立てた箱は展開ができないため完成された状態で搬送や保管が行われているが、大量の紙製組立箱を取り扱う場合には、容積が大きく嵩張ってしまうため、搬送や保管が非能率的であった。
【０００５】
本考案はかかる事情に鑑みてなされたもので、１枚の平面状の紙を折り曲げるだけで簡単に製造でき、展開された状態で保管及び輸送が可能であり、しかも内容物に含まれる液体が外部に漏れ出しにくい紙製組立箱を提供することを目的とする。
【課題を解決するための手段】
【０００６】
前記目的に沿う第１の考案に係る紙製組立箱は、１枚の平面状の紙に予め形成された折り目線に沿って折り曲げることにより組み立てられる紙製組立箱であって、４辺が直線又は円弧状に形成された矩形（長方形及び正方形を含む。以下同じ）の底板部と、前記底板部の４辺にそれぞれ底部折り目線を介して連結された側壁板部と、隣り合う前記側壁板部を連接し、前記底板部の角に起端を発する１又は複数の直線状の折り目線で分割された偶数枚の内側折込板部とを有し、更に、前記側壁板部に第１の外曲げ線で連接される前記内側折込板部の１には、その上部に、隣接する前記側壁板部と、折り重ねた前記内側折込板部との間に嵌め込む差込片部が上部折り曲げ線を介して設けられている。
【０００７】
第１の考案に係る紙製組立箱において、折り重ねられる複数の前記内側折込板部は合同な三角形であることが好ましい。
【０００８】
第１の考案に係る紙製組立箱において、前記底板部の少なくとも１の対向する底部折り目線は、内側に屈曲する円弧状となって、該底部折り目線が下部に形成された前記側壁板部の下部には、前記底板部の角に起端を発する外側に屈曲する円弧状の第２の外曲げ線が形成されていてもよい。
【０００９】
第１の考案に係る紙製組立箱において、それぞれの前記側壁板部のうち１の対向する前記側壁板部の両内側に、該側壁板部の両底側端部に起端を発する第３の外曲げ線がそれぞれ形成され、上部に向かって該側壁板部の内側寸法が徐々に拡大していてもよい。
【００１０】
第１の考案に係る紙製組立箱において、隣り合う前記側壁板部を連接する前記内側折込板部は４枚であって、上部に向かって該側壁板部の内側寸法が徐々に縮小していてもよい。
【００１１】
前記目的に沿う第２の考案に係る紙製組立箱は、１枚の平面状の紙に予め形成された折り目線に沿って折り曲げることにより組み立てられる紙製組立箱であって、４辺が直線又は円弧状に形成された矩形の底板部と、前記底板部の４辺にそれぞれ底部折り目線を介して連結された側壁板部と、隣り合う前記側壁板部を外曲げ線を介して連接し、前記底板部の角に起端を発する直線状の内曲げ線で分割された２枚の内側折込板部とを有し、対向する前記側壁板部の両側に連接された前記内側折込板部を前記側壁板部の内側に曲げ込んで、曲げ込んだ前記内側折込板部と、前記側壁板部との間に嵌め込む差込片部が、最内側に位置する前記内側折込板部の上部に上部折り曲げ線を介して設けられている。
【００１２】
第２の考案に係る紙製組立箱において、隣り合う前記側壁板部を連結する２枚の前記内側折込板部は、展開状態で前記側壁板部の高さを一辺とする正方形であって、前記内曲げ線は前記底板部の角を起端とする対角線であってもよい。
【００１３】
第２の考案に係る紙製組立箱において、前記側壁板部は正方形であることが好ましい。
【００１４】
第１又は第２の考案に係る紙製組立箱において、前記底板部には抜き孔が形成されていてもよい。
【００１５】
なお、本考案に係る紙製組立箱において、「矩形」及び「正方形」には、各辺が直線である場合の他、外側又は内側に円弧状に屈曲している場合も含まれる。
【考案の効果】
【００１６】
第１の考案に係る紙製組立箱は、１枚の平面状の紙に折り目線を備えて構成されるため、その製造が容易である。その組立てにおいては、底板部の４辺に設けられた側壁板部を内側に折り曲げて立ち上げ、内側折込板部を第１の外曲げ線及び内側折込板部を分割する直線状の折り目線に沿って折り重ね、隣接する側壁板部と折り重ねられた内側折込板部との間に差込片部を嵌め込むだけでよく、接着が不要である。したがって、製造が容易であり、平面状態で保管及び搬送することができる紙製組立箱を提供できる。
また、内側折込板部は箱の内側に折り曲げ形成されており、しかもその上部は差込片部で覆われており、内側折込板部の合わせ目から側壁板部の外部へ水等の液状物が漏れ出しにくいため、種苗用ポットカバーとして用いた場合、水漏れの問題を改善することができる。また、内部に直接培養土を入れて種苗用ポットとして使用することもできる。
【００１７】
第１の考案に係る紙製組立箱において、折り重ねられる複数の内側折込板部が合同な三角形である場合、内側折込板部の折り曲げ形成の際に、重なり合った内側折込板部が全て同一形状であるため、差込片部の嵌め込みが容易であると共に、差込片部により確実に固定されるため、使用による変形や強度の低下を防止することができる。
【００１８】
第１の考案に係る紙製組立箱において、底板部の少なくとも１の対向する底部折り目線が、内側に屈曲する円弧状となって、底部折り目線が下部に形成された側壁板部の下部には、底板部の角に起端を発する外側に屈曲する円弧状の第２の外曲げ線が形成されている場合、底板部と側壁板部の接合部分の強度を高めることができると共に、デザイン性を高めることができる。
【００１９】
第１の考案に係る紙製組立箱において、それぞれの側壁板部のうち１の対向する側壁板部の両内側に、側壁板部の両底側端部に起端を発する第３の外曲げ線がそれぞれ形成され、上部に向かって側壁板部の内側寸法が徐々に拡大している場合、上部の開口部の面積を広く取ることができるため、内容物が取り出しやすくなると共に、種苗用ポット又は種苗用ポットカバーとして使用しやすい形状の紙製組立箱となる。更に、第３の外曲げ線により側壁板部の形状に変化を与え、立体感を付与する等、デザイン性を高めることもできる。
【００２０】
第１の考案に係る紙製組立箱において、隣り合う側壁板部を連接する内側折込板部は４枚であって、上部に向かって側壁板部の内側寸法が徐々に縮小している場合、内側折込板部同士が干渉することなく、例えば、花やペン等の保管に適した形状の紙製組立箱を提供することができる。
【００２１】
第２の考案に係る紙製組立箱は、１枚の平面状の紙に折り目線を備えて構成されるため、その製造が容易である、また、その組立てにおいても、第１の考案に係る紙製組立箱と同様、底板部の４辺に設けられた側壁板部を内側に折り曲げて立ち上げ、内側折込板部を内曲げ線に沿って内側に曲げ込んで、曲げ込んだ内側折込板部と、側壁板部との間に差込片部を嵌め込むだけでよく、接着が不要である。したがって、製造が容易であり、平面状態で保管及び搬送することができる紙製組立箱を提供できる。
また、内側に曲げ込んだ内側折込板部が１の差込片部より固定されるため、内側折込板部が箱の内部でめくれ上がるのを防止することができる。
更に、対向する側壁板部の両側に連接された内側折込板部を内側に曲げ込んで、曲げ込んだ内側折込板部と、側壁板部との間に嵌め込む差込片部を、最内側に位置する内側折込板部の上部に上部折り曲げ線を介して設けているので、差込片部の数を２に減らすことができる。そのため、紙製組立箱の組立を更に簡素化することができる。また、内側に折り重ねられた内側折込板部によって側壁板部が補強されるため、紙製組立箱の強度が向上する。
【００２２】
第２の考案に係る紙製組立箱において、隣り合う側壁板部を連結する２枚の内側折込板部が、展開状態で側壁板部の高さを一辺とする正方形であって、内曲げ線が底板部の角を起端とする対角線である場合、底板部、側壁板部及び内側折込板部の輪郭が矩形となるため、製造時の紙のムダを少なくすることができる。
【００２３】
第２の考案に係る紙製組立箱において、側壁板部が正方形である場合、側壁板部及び内側に曲げ込んだ内側折込板部の重なり合う辺の長さが等しくなるため、差込片部の長さを、側壁板部の上辺の長さと等しくすることができる。そのため、製造される紙製組立箱の強度を高めることができる。
【００２４】
第１及び第２の考案に係る紙製組立箱において、底板部に抜き孔が形成されている場合、例えば種苗用ポットとして用いた場合に、余分な水分を外部に排出することができる。
【考案を実施するための最良の形態】
【００２５】
続いて、添付した図面を参照しつつ、本考案を具体化した実施の形態につき説明し、本考案の理解に供する。
ここで、図１は本考案の第１の実施の形態に係る紙製組立箱の展開図、図２は同紙製組立箱の組立工程を説明する概略図、図３は本考案の第２の実施の形態に係る紙製組立箱の展開図、図４は同紙製組立箱の組立工程を説明する概略図、図５は本考案の第３の実施の形態に係る紙製組立箱の展開図、図６は同紙製組立箱の組立工程を説明する概略図である。
【００２６】
まず、図１及び図２を参照して、本考案の第１の実施の形態に係る紙製組立箱１０について説明する。
本考案の第１の実施の形態に係る紙製組立箱１０の展開図を図１に示す。ここで、実線は紙製組立箱１０の輪郭を、一点鎖線は折り目線の一例である外曲げ線（谷状折線：陵部が紙製組立箱の外側を向くように折る折り目線をいう。以下同じ）を、破線は折り目線の一例である内曲げ線（山状折線：陵部が紙製組立箱の内側を向くように折る折り目線をいう。以下同じ）をそれぞれ意味する（以下、図３及び図５においても同じ）。
【００２７】
正方形の底板部１１は、対向する一対の直線状の底部折り目線１２、１３及び対向する一対の内側に屈曲する円弧状の底部折り目線１４、１５により４辺が形成されている。
側壁板部１６は、底部折り目線１２を介して底板部１１に連結され、第１の外曲げ線となる側辺２０及び２１を有し、上部に向かってその内側寸法が徐々に拡大する台形状であり、更に、底板部１１の角３２（側壁板部１６の底側一端部でもある）に起端を発する外曲げ線（第３の外曲げ線）２８及び底板部１１の角３３（側壁板部１６の底側他端部でもある）に起端を発する外曲げ線（第３の外曲げ線）２９が側壁板部１６の両内側に形成されている。
側壁板部１７は、底部折り目線１３を介して底板部１１に連結され、第１の外曲げ線となる側辺２２及び２３を有し、上部に向かってその内側寸法が徐々に拡大する台形状であり、更に、底板部１１の角３４（側壁板部１７の底側一端部でもある）に起端を発する外曲げ線（第３の外曲げ線）３０及び底板部１１の角３５（側壁板部１７の底側他端部でもある）に起端を発する外曲げ線（第３の外曲げ線）３１が側壁板部１７の両内側に形成されている。
【００２８】
側壁板部１８は、底部折り目線１４を介して底板部１１に連結され、第１の外曲げ線となる側辺２４及び２５を有する。また、側壁板部１８の下部には、底板部１１の角３３及び３５に起端を発する外側に屈曲する円弧状の外曲げ線（第２の外曲げ線）３６が形成されている。
側壁板部１９は、底部折り目線１５を介して底板部１１に連結され、第１の外曲げ線となる側辺２６及び２７を有する。また、側壁板部１９の下部には、底板部１１の角３２及び３４に起端を発する外側に屈曲する円弧状の外曲げ線（第２の外曲げ線）３７が形成されている。
【００２９】
隣り合う側壁板部１６及び１８の間には、側辺２１及び２４のなす角を２等分する内曲げ線（直線状の折り目線の一例、以下同様）４０で分割された２枚の内側折込板部３８、３９が形成され、側壁板部１６及び１８を連接している。なお、本実施の形態に係る紙製組立箱１０のように、隣り合うそれぞれの側壁板部の間に２枚の内側折込板部が形成される場合には、該２枚の内側折込板部は、組立て時に折り重ねられるように内曲げ線で分割されている必要がある。
ここで、紙製組立箱１０を組み立てた際に当接する側辺２１及び２４は長さが等しいため、二辺の長さ及び挟角が等しい内側折込板部３８及び３９は合同な三角形となる。また、側辺２１で側壁板部１６に連接される内側折込板部３８の上部には、上部折り曲げ線４２を介して差込片部４１が形成されている。
【００３０】
隣り合う側壁板部１７及び１８の間には、側辺２３及び２５のなす角を２等分する内曲げ線４５で分割された２枚の内側折込板部４３、４４が形成され、側壁板部１７及び１８を連接している。
ここで、紙製組立箱１０を組み立てた際に当接する側辺２３及び２５は長さが等しいため、二辺の長さ及び挟角が等しい内側折込板部４３及び４４は合同な三角形となる。また、側辺２３で側壁板部１７に連接される内側折込板部４３の上部には、上部折り曲げ線４７を介して差込片部４６が形成されている。
【００３１】
隣り合う側壁板部１７及び１９の間には、側辺２２及び２７のなす角を２等分する内曲げ線５０で分割された２枚の内側折込板部４８、４９が形成され、側壁板部１７及び１９を連接している。
ここで、紙製組立箱１０を組み立てた際に当接する側辺２２及び２７は長さが等しいため、二辺の長さ及び挟角が等しい内側折込板部４８及び４９は合同な三角形となる。また、側辺２２で側壁板部１７に連接される内側折込板部４８の上部には、上部折り曲げ線５２を介して差込片部５１が形成されている。
【００３２】
隣り合う側壁板部１６及び１９の間には、側辺２０及び２６のなす角を２等分する内曲げ線５５で分割された２枚の内側折込板部５３、５４が形成され、側壁板部１６及び１９を連接している。
ここで、紙製組立箱１０を組み立てた際に当接する側辺２０及び２６は長さが等しいため、二辺の長さ及び挟角が等しい内側折込板部５３及び５４は合同な三角形となる。また、側辺２０で側壁板部１６に連接される内側折込板部５３の上部には、上部折り曲げ線５７を介して差込片部５６が形成されている。
【００３３】
次いで、図２を参照して、紙製組立箱１０の組立工程について説明する。図２では、組立工程を（ａ）〜（ｄ）の４工程に区分して説明を行うが、この区分は、説明のための便宜的なものである。
まず、原料紙（１枚の平面状の紙）を、図１に示した所定の形状に切断し、外曲げ線及び内曲げ線を形成する（以上、工程（ａ））。次いで、底板部１１の４辺を形成する底部折り目線１２、１３、１４、１５に沿って折り曲げ、これらの底部折り目線１２〜１５を介して底板部１１に連結された側壁板部１６、１７、１８、１９を立ち上げる。その際、側壁板部１８及び１９の下部にそれぞれ設けられた外曲げ線３６、３７についても併せて折り曲げを行う。
【００３４】
次に、側壁板部１６、１７、１８、１９の側辺（外曲げ線）２０、２１、２２、２３、２４、２５、２６、２７、及び内曲げ線４０、４５、５０、５５に沿って折り曲げ、隣り合う内側折込板部３８と３９、４３と４４、４８と４９、及び５３と５４をそれぞれ互いに重なり合わせる。併せて、側壁板部１６、１７上にそれぞれ設けられた外曲げ線２８、２９、３０、３１についても併せて折り曲げを行う（以上、工程（ｂ））。次いで、内曲げ線４２を介して内側折込板部３８の上方に連結された差込片部４１を、内側折込板部３８と重なり合うように折り曲げ形成された内側折込板部３９と、それに隣接する側壁板部１８との間に嵌め込み（以上、工程（ｃ））、差込片部４６についても、同様に内側折込板部４４とそれに隣接する側壁板部１８との間に嵌め込む（以上、工程（ｄ））。なお、図中では省略したが、その他の内側折込板部４３、４４、４８、４９、５３、５４及び差込片部４６、５１、５６についても同様に折り曲げを行い、紙製組立箱１０を製造する。
【００３５】
紙製組立箱１０の製造に用いることのできる原料紙に特に制限はないが、最低限自重及び内容物の重量を支持でき、折り曲げ加工に耐える程度の強度及び厚みを有している必要がある。これらの性質を具備する原料紙の一例としては、ボール紙、段ボール等が挙げられるが、仕上がりの美しいコートボール紙が好適に用いられる。
原料紙の厚さは、紙製組立箱の大きさや用途に応じて適宜選択されるが、２７０〜３５０ｇ／ｍ２程度のやや厚手のものが強度及び耐久性の点で好ましい。
紙製組立箱１０が、耐水性が要求される種苗用ポットカバー等に用いられる場合には、防水加工を行った原料紙を用いることができる。また、必要に応じて模様等を原料紙の表裏面に印刷してもよく、あるいは化粧シートを貼着してもよい。
【００３６】
原料紙の切断は、抜き型による打抜き加工（トムソン加工）等の任意の方法により行うことができる。また、折り目線の形成についても、ローラー加工等の任意の方法により行うことができる。
【００３７】
次に、図３及び図４を参照して、本考案の第２の実施の形態に係る紙製組立箱１１０について説明する。
本考案の第２の実施の形態に係る紙製組立箱１１０の展開図を図３に示す。
正方形の底板部１１１は、一対の直線状の底部折り目線１１２、１１３及び一対の内側に屈曲する円弧状の底部折り目線１１４、１１５により４辺が形成されている。
側壁板部１１６は、底部折り目線１１２を介して底板部１１１に連結され、上部に向かってその内側寸法が徐々に縮小する台形状であり、第１の外曲げ線となる側辺１２０及び１２１を有する。
側壁板部１１７は、底部折り目線１１３を介して底板部１１１に連結され、上部に向かってその内側寸法が徐々に縮小する台形状であり、第１の外曲げ線となる側辺１２２及び１２３を有する。
【００３８】
側壁板部１１８は、底部折り目線１１４を介して底板部１１１に連結され、上部に向かってその内側寸法が徐々に縮小する台形状であり、第１の外曲げ線となる側辺１２４及び１２５を有する。また、側壁板部１１８には、底板部１１１の角１３３及び１３５に起端を発する外側に屈曲する円弧状の外曲げ線（第２の外曲げ線）１３６が形成されている。
側壁板部１１９は、底部折り目線１１５を介して底板部１１１に連結され、上部に向かってその内側寸法が徐々に縮小する台形状であり、第１の外曲げ線となる側辺１２６及び１２７を有する。また、側壁板部１１９には、底板部１１１の角１３２及び１３４に起端を発する外側に屈曲する円弧状の外曲げ線（第２の外曲げ線）１３７が形成されている。
【００３９】
紙製組立箱１１０において、４つの側壁板部１１６、１１７、１１８、１１９は、組み立てられた紙製組立箱１１０が、上方に向かって内側寸法が徐々に縮小する縦に細長い形状を有するよう構成されている。
そこで、隣り合う側壁板部１１６及び１１８の間には、側辺１２１及び１２４のなす角を４等分する、内曲げ線１４０、１４０ａ、及び内曲げ線１４０と１４０ａとの間に位置する外曲げ線１５８で分割された４枚の内側折込板部１３８、１３８ａ、１３９ａ、１３９が形成され、側壁板部１１６及び１１８を連接している。
ここで、側辺１２１、１２４及び外曲げ線１５８の長さが等しく、内曲げ線１４０及び１４０ａの長さがそれぞれ等しければ、二辺の長さ及び挟角が等しい内側折込板部１３８、１３８ａ、１３９ａ及び１３９は全て合同な三角形である。
また、側辺１２１で側壁板部１１６に連接される内側折込板部１３８の上部には、上部折り曲げ線１４２を介して差込片部１４１が形成されている。
【００４０】
同様に、隣り合う側壁板部１１７及び１１８の間には、側辺１２３及び１２５のなす角を４等分する、内曲げ線１４５、１４５ａ、及び内曲げ線１４５と１４５ａとの間に位置する外曲げ線１５９で分割された４枚の内側折込板部１４３、１４３ａ、１４４ａ、１４４が形成され、側壁板部１１７及び１１８を連接している。
ここで、側辺１２３、１２５及び外曲げ線１５９の長さが等しく、内曲げ線１４５及び１４５ａの長さがそれぞれ等しければ、二辺の長さ及び挟角が等しい内側折込板部１４３、１４３ａ、１４４ａ及び１４４は全て合同な三角形である。
また、側辺１２３で側壁板部１１７に連接される内側折込板部１４３の上部には、上部折り曲げ線１４７を介して差込片部１４６が形成されている。
【００４１】
また、隣り合う側壁板部１１７及び１１９の間には、側辺１２２及び１２７のなす角を４等分する、内曲げ線１５０、１５０ａ、及び内曲げ線１５０と１５０ａとの間に位置する外曲げ線１６０で分割された４枚の内側折込板部１４８、１４８ａ、１４９ａ、１４９が形成され、側壁板部１１７及び１１９を連接している。
ここで、側辺１２２、１２７及び外曲げ線１６０の長さが等しく、内曲げ線１５５及び１５５ａの長さがそれぞれ等しければ、二辺の長さ及び挟角が等しい内側折込板部１４８、１４８ａ、１４９ａ及び１４９は全て合同な三角形である。
また、側辺１２２で側壁板部１１７に連接される内側折込板部１４８の上部には、上部折り曲げ線１５２を介して差込片部１５１が形成されている。
【００４２】
更に、隣り合う側壁板部１１６及び１１９の間には、側辺１２０及び１２６のなす角を４等分する、内曲げ線１５５、１５５ａ、及び内曲げ線１５５と１５５ａとの間に位置する外曲げ線１６１で分割された４枚の内側折込板部１５３、１５３ａ、１５４ａ、１５４が形成され、側壁板部１１６及び１１９を連接している。
ここで、側辺１２０、１２６及び外曲げ線１６１の長さが等しく、内曲げ線１５５及び１５５ａの長さがそれぞれ等しければ、二辺の長さ及び挟角が等しい内側折込板部１５３、１５３ａ、１５４ａ及び１５４は全て合同な三角形である。
また、側辺１２０で側壁板部１１６に連接される内側折込板部１５３の上部には、上部折り曲げ線１５７を介して差込片部１５６が形成されている。
【００４３】
なお、本実施の形態に係る紙製組立箱１１０のように、隣り合うそれぞれの側壁板部の間に４枚以上の偶数枚の内側折込板部が形成される場合には、該内側折込板部は、組立て時に折り重ねられるように、交互に並んだ内曲げ線及び外曲げ線で分割されている必要がある。
【００４４】
次いで、図４を参照して、紙製組立箱１１０の組立工程について説明する。図４では、組立工程を（ａ）〜（ｃ）の３工程に区分して説明を行うが、この区分は、説明のための便宜的なものである。なお、図２に示した第１の実施の形態に係る紙製組立箱１０の製造工程と同様の工程については詳しい説明を省略する。
まず、原料紙を、図３に示した所定の形状に切断し、外曲げ線及び内曲げ線を形成する（以上、工程（ａ））。次いで、底板部１１１の４辺を形成する底部折り目線１１２、１１３、１１４、１１５に沿って折り曲げ、これらの底部折り目線１１２〜１１５を介して底板部１１１に連結された側壁板部１１６、１１７、１１８、１１９を立ち上げる。その際、側壁板部１１８及び１１９上にそれぞれ設けられた外曲げ線１３６、１３７についても併せて折り曲げを行う。
【００４５】
次に、側壁板部１１６及び１１９を連接する内側折込板部１５３、１５３ａ、１５４ａ、１５４の折り曲げ形成工程について説明する。図４では組立途中の紙製組立箱１１０を外側から見た状態を示す。内曲げ線１５５、１５５ａ、外曲げ線１６１に沿って折り曲げ、隣り合う内側折込板部１５３、１５３ａ、１５４ａ、１５４を互いに重なり合わせる。次いで、上部折り曲げ線１５７を介して内側折込板部１５３の上方に連結された差込片部１５６を、内側折込板部１５３、１５３ａ、１５４ａと重なり合うように折り曲げ形成された内側折込板部１５４と、それに隣接する側壁板部１１９との間（図では内側折込板部１１９の裏側）に嵌め込む（以上、工程（ｂ））。
【００４６】
側壁板部１１７及び１１９を連接する、内曲げ線１５０、１５０ａ、及び外曲げ線１６０で分割された４枚の内側折込板部１４８、１４８ａ、１４９ａ、１４９及び内側折込板部１４８の上部に上部折り曲げ線１５２を介して形成された差込片部１５１、側壁板部１１７及び１１８を連接する、内曲げ線１４５、１４５ａ、及び外曲げ線１５９で分割された４枚の内側折込板部１４３、１４３ａ、１４４ａ、１４４及び内側折込板部１４３の上部に上部折り曲げ線１４７を介して形成された差込片部１４６、側壁板部１１６及び１１８を連接する、内曲げ線１４０、１４０ａ、及び外曲げ線１５８で分割された４枚の内側折込板部１３８、１３８ａ、１３９ａ、１３９及び内側折込板部１３８の上部に上部折り曲げ線１４２を介して形成された差込片部１４１についても、同様の折曲げを行い、紙製組立箱１１０を製造する（以上、工程（ｃ））。
【００４７】
次に、図５及び図６を参照して、本考案の第３の実施の形態に係る紙製組立箱２１０について説明する。
本考案の第３の実施の形態に係る紙製組立箱２１０の展開図を図５に示す。
正方形の底板部２１１は、外側に屈曲する円弧状の底部折り目線２１２、２１３、２１４、２１５により４辺が形成されている。正方形の側壁板部２１６は、底部折り目線２１２を介して底板部２１１に連結され、外曲げ線となる側辺２２０及び２２１を有している。同様に、側壁板部２１７、２１８、２１９は、それぞれ底部折り目線２１３、２１４、２１５を介して底板部２１１に連結され、それぞれ外曲げ線となる側辺２２２及び２２３、２２４及び２２５、２２６及び２２７を有している。
【００４８】
隣り合う側壁板部２１６及び２１８の間には、展開状態で側壁板部２１６及び２１８の高さを一辺とする正方形であって、底板部２１１の角２３３を起端とする対角線である直線状の内曲げ線２４０で分割された２枚の直角二等辺三角形である内側折込板部２３８、２３９が形成され、側壁板部２１６及び２１８を連接している。
また、側辺２２１で側壁板部２１６に連接される内側折込板部２３８の上部には、それぞれ上部折り曲げ線２４２を介して差込片部２４１が形成されている。
また、隣り合う側壁板部２１７及び２１８の間には、展開状態で側壁板部２１７及び２１８の高さを一辺とする正方形であって、底板部２１１の角２３５を起端とする対角線である内曲げ線２４５で分割された２枚の直角二等辺三角形である内側折込板部２４３、２４４が形成され、側壁板部２１７及び２１８を連接している。
【００４９】
同様に、隣り合う側壁板部２１７及び２１９の間には、展開状態で側壁板部２１７及び２１９の高さを一辺とする正方形であって、底板部２１１の角２３４を起端とする対角線である内曲げ線２５０で分割された２枚の直角二等辺三角形である内側折込板部２４８、２４９が形成され、側壁板部２１７及び２１９を連接している。
更に、隣り合う側壁板部２１６及び２１９の間には、展開状態で側壁板部２１６及び２１９の高さを一辺とする正方形であって、底板部２１１の角２３２を起端とする対角線である内曲げ線２５５で分割された２枚の直角二等辺三角形である内側折込板部２５３、２５４が形成され、側壁板部２１６及び２１９を連接している。
また、側辺２２０で側壁板部２１６に連接される内側折込板部２５３の上部には、それぞれ上部折り曲げ線２５７を介して差込片部２５６が形成されている。
【００５０】
次いで、図６を参照して、紙製組立箱２１０の組立工程について説明する。図６では、組立工程を（ａ）〜（ｄ）の４工程に区分して説明を行うが、この区分は、説明のための便宜的なものである。
まず、原料紙を、図５に示した所定の形状に切断し、外曲げ線及び内曲げ線を形成する（以上、工程（ａ））。次いで、底板部２１１の４辺を形成する底部折り目線２１２、２１３、２１４、２１５に沿って折り曲げ、これらの底部折り目線２１２〜２１５を介して底板部２１１に連結された側壁板部２１６、２１７、２１８、２１９を立ち上げる。
なお、本実施の形態のように底板部の４辺を外側に屈曲した円弧状に構成することにより、組立後の箱において底板部は上方に凸な鞍状の曲面を形成し、デザイン性を高めることができる。
【００５１】
次に、側壁板部２１６、２１７、２１８、２１９の側辺（外曲げ線）２２０、２２１、２２２、２２３、２２４、２２５、２２６、２２７、及び内曲げ線２４０、２４５、２５０、２５５に沿って折り曲げる（以上、工程（ｂ））。
次いで、側壁板部２１９の側辺２２７に沿って内側折込板部２４８及び２４９を側壁板部２１９の内側に曲げ込み、内側折込板部２４９が側壁板部２１９と重なり合うようにする。次に、側壁板部２１９のもう一方の側辺２２６に沿って内側折込板部２５４及び２５３を側壁板部２１９の内側に曲げ込み、内側折込板部２５４が内側折込板部２４８と重なり合うようにする。このとき、側壁板部２１９には、４枚の内側折込板部２４９、２４８、２５４、２５３がこの順で重なり合っており、差込片部２５６が上方に連結された内側折込板部２５３は、最内側に位置している。
【００５２】
同様に、側壁板部２１８の側辺２２５に沿って内側折込板部２４３及び２４４を曲げ込み、内側折込板部２４４が側壁板部２１８と重なり合うようにする。次に、側壁板部２１８のもう一方の側辺２２４に沿って内側折込板部２３９及び２３８を曲げ込み、内側折込板部２３９が内側折込板部２４３と重なり合うようにする。このとき、側壁板部２１８には、４枚の内側折込板部２４４、２４３、２３９、２３８がこの順で重なり合っており、差込片部２４１が上方に連結された内側折込板部２３８は、最内側に位置している（以上、工程（ｃ））。
【００５３】
最後に、差込片部２５６を、上部折り曲げ線２５７に沿って折り曲げ、側壁板部２１９及び内側折込板部２４９の間に嵌め込み、同様に、差込片部２４１を、上部折り曲げ線２４２に沿って折り曲げ、側壁板部２１８及び内側折込板部２４４の間に嵌め込むと、紙製組立箱２１０が製造される（以上、工程（ｄ））。
【００５４】
本考案は、前記した実施の形態に限定されるものではなく、本考案の要旨を変更しない範囲での変更は可能であり、例えば、前記したそれぞれの実施の形態や変形例の一部又は全部を組み合わせて本考案の紙製組立箱を構成する場合も本考案の権利範囲に含まれる。
例えば、前記実施の形態の紙製組立箱において、種苗用ポットとして用いられる場合には、底板部に余分な水分を排出するための抜き孔を設けてもよい。更に、抜き孔から培養土が流出しないよう抜き孔にネット等を貼着してもよい。
また、前記第３の実施の形態では、底板部及び側壁板部は正方形であったが、長方形であってもよい。
【図面の簡単な説明】
【００５５】
【図１】本考案の第１の実施の形態に係る紙製組立箱の展開図である。
【図２】同紙製組立箱の組立工程を説明する概略図である。
【図３】本考案の第２の実施の形態に係る紙製組立箱の展開図である。
【図４】同紙製組立箱の組立工程を説明する概略図である。
【図５】本考案の第３の実施の形態に係る紙製組立箱の展開図である。
【図６】同紙製組立箱の組立工程を説明する概略図である。
【符号の説明】
【００５６】
１０、１１０、２１０：紙製組立箱、１１、１１１、２１１：底板部、１２、１３、１４、１５、１１２、１１３、１１４、１１５、２１２、２１３、２１４、２１５：底部折り目線、１６、１７、１８、１９、１１６、１１７、１１８、１１９、２１６、２１７、２１８、２１９：側壁板部、２０、２１、２２、２３、２４、２５、２６、２７、１２０、１２１、１２２、１２３、１２４、１２５、１２６、１２７、２２０、２２１、２２２、２２３、２２４、２２５、２２６、２２７：側辺、２８、２９、３０、３１：外曲げ線、３２、３３、３４、３５、１３２、１３３、１３４、１３５、２３２、２３３、２３４、２３５：角、３６、３７、１３６、１３７：外曲げ線、３８、３９、４３、４４、４８、４９、５３、５４、１３８、１３８ａ、１３９、１３９ａ、１４３、１４３ａ、１４４、１４４ａ、１４８、１４８ａ、１４９、１４９ａ、１５３、１５３ａ、１５４、１５４ａ、２３８、２３９、２４３、２４４、２４８、２４９、２５３、２５４：内側折込板部
４０、４５、５０、５５、１４０、１４０ａ、１４５、１４５ａ、１５０、１５０ａ、１５５、１５５ａ、２４０、２４５、２５０、２５５：内曲げ線、４１、４６、５１、５６、１４１、１４６、１５１、１５６、２４１、２５６：差込片部、４２、４７、５２、５７、１４２、１４７、１５２、１５７、２４２、２５７：上部折り曲げ線、１５８、１５９、１６０、１６１：外曲げ線
【図１】
0003125882.tif 000003
【図２】
0003125882.tif 000004
【図３】
0003125882.tif 000005
【図４】
0003125882.tif 000006
【図５】
0003125882.tif 000007
【図６】
0003125882.tif 000008